【手続補正書】
【提出日】令和3年3月8日(2021.3.8)
【手続補正１】
【補正対象書類名】特許請求の範囲
【補正対象項目名】全文
【補正方法】変更
【補正の内容】
【特許請求の範囲】
【請求項１】
入口を有し、かつ流体が通って連通するための流路を画定する、フローチャネルであって、前記入口から前記フローチャネルに沿って第１の距離に位置し、第１の断面形状を画定する第１の領域、及び、前記入口から前記フローチャネルに沿って第２の距離に位置し、第２の断面形状を確定する第２の領域を画定し、前記第１の断面形状と前記第２の断面形状は、互いに面積が異なる、前記フローチャネルと、
第１の検出モジュールであって、前記フローチャネルの第１の領域の照明に関係する第１の信号を受信するように配置されている、前記第１の検出モジュールと、
第２の検出モジュールであって、前記フローチャネルの第２の領域の照明に関係する第２の信号を受信するように配置されている、前記第２の検出モジュールと
を備えるシステムであって、
前記第１の断面積及び前記第２の断面積は、互いに異なり、前記第１の断面積と前記第２の断面積との比は、１：１を除く、約１００：１〜約１：１００である、システム。
【請求項２】
前記第１の信号と前記第２の信号は、互いに異なる、請求項１に記載のシステム。
【請求項３】
前記第２の検出モジュールは、前記第１の検出モジュールによって受信された信号に基づいて作動する、請求項１に記載のシステム。
【請求項４】
前記フローチャネルは、前記第１の領域に沿った第１の流れの方向と前記第２の領域に沿った第２の流れの方向とを画定し、前記第１の流れの方向は、前記第２の流れの方向と異なる、請求項１に記載のシステム。
【請求項５】
前記第２の検出モジュールは画像検出器である、請求項１に記載のシステム。
【請求項６】
前記第１の検出モジュールは検出器である、請求項１に記載のシステム。
【請求項７】
前記フローチャネルの前記第１の領域を照明するように構成された第１の照明源を更に備える、請求項１に記載のシステム。
【請求項８】
前記第１の照明源は、前記第１の領域の流れの方向に対して本質的に平行な又は前記第１の領域の流れの方向に対して垂直な照明を提供するように構成されている、請求項１に記載のシステム。
【請求項９】
前記フローチャネルの前記第２の領域を照明するように構成された第２の照明源を更に備える、請求項７に記載のシステム。
【請求項１０】
前記第２の照明源は、前記第２の領域の流れの方向に対して本質的に平行な照明を提供するように構成されている、請求項９に記載のシステム。
【請求項１１】
前記第２の照明源は、前記第２の領域の流れの方向に対して本質的に垂直な照明を提供するように構成されている、請求項９に記載のシステム。
【請求項１２】
前記第１の照明源と前記第２の照明源は、異なる照明を提供する、請求項９に記載のシステム。
【請求項１３】
前記フローチャネルと流体連通する粒子セパレータをさらに備える、請求項１に記載のシステム。
【請求項１４】
前記粒子セパレータは、粒子サイズ、粒子形状、粒子質量、１つ以上の粒子に関連付けられた信号、またはこれらの任意の組み合わせに基づいて粒子を迂回させるように構成されている、請求項１３に記載のシステム。
【請求項１５】
前記第２の検出モジュールは、前記第２の領域の流れの方向に対して平行な信号を検出するように配置されている、請求項１に記載のシステム。
【手続補正２】
【補正対象書類名】明細書
【補正対象項目名】０１５８
【補正方法】変更
【補正の内容】
【０１５８】
態様４３．態様１〜１９のいずれか１つに従ってシステムを動作させることを含む方法。
以下に本発明の実施態様を記載する。
（実施態様１）入口を有し、かつ流体が通って連通するための流路を画定する、フローチャネルと、
第１の照明源および第１の検出モジュールを備える第１の光学系であって、前記第１の検出モジュールは、前記第１の照明源による前記フローチャネルの第１の領域の照明に関係する信号を受信するように配置され、前記第１の領域は、前記フローチャネルの前記入口から第１の距離に位置する、第１の光学系と、
第２の照明源および第２の検出モジュールを備える第２の光学系であって、前記第２の検出モジュールは、前記第２の照明源による前記フローチャネルの第２の領域の照明に関係する信号を受信するように配置され、前記第２の領域は、前記フローチャネルの前記入口から第２の距離に位置し、前記第２の距離は前記第１の距離よりも大きい、第２の光学系とを備えるシステムであって、
（ａ）前記フローチャネルの前記第１の領域は第１の断面積を画定し、前記フローチャネルの前記第２の領域は第２の断面積を画定し、前記第１および第２の断面積は、面積、形状、もしくは面積および形状の両方の点で互いに異なるか、または
（ｂ）（ｉ）前記システムは、前記フローチャネルの前記入口と前記フローチャネルの前記第１の領域との間で前記フローチャネルに進入する導管を備えるか、（ｉｉ）前記システムは、前記フローチャネルの前記第１の領域と前記第２の領域との間で前記フローチャネルに進入する導管を備えるか、もしくは（ｉ）および（ｉｉ）の両方であり、
（ｃ）前記システムは、前記流路内の粒子の速度を変調するように構成された流量変調器を備えるか、または
（ｄ）前記システムは、場モジュールをさらに備え、前記場モジュールは、前記フローチャネル内の流れ中にあり前記場に対する感度の高い少なくとも一部の粒子を前記フローチャネル内の前記流れ中の粒子速度の速度流線Ｓ0から前記フローチャネル内の前記流れ中の粒子速度の速度流線Ｓ1まで移動させるように前記フローチャネルのある領域において場を増減するように構成され、前記フローチャネルの前記第１の領域と前記第２の領域との間で、システム動作中の前記Ｓ0における粒子速度は前記Ｓ1における粒子速度と異なるか、あるいは
（ａ）、（ｂ）、（ｃ）、または（ｄ）の任意の組み合わせである、システム。
（実施態様２）前記第１および第２の断面積は、互いに面積が異なり、前記第１の断面積と前記第２の断面積との比は、１：１を除く、約１００：１〜約１：１００である、実施態様１に記載のシステム。
（実施態様３）前記フローチャネルは主軸を画定する、実施態様１〜２のいずれか１項に記載のシステム。
（実施態様４）前記第１および第２の照明源のうちの少なくとも一方は、前記フローチャネルの前記主軸に対して本質的に平行な照明を提供するように構成されている、実施態様３に記載のシステム。
（実施態様５）前記流路は、少なくとも部分的に非線形である、実施態様１〜４のいずれか１項に記載のシステム。
（実施態様６）前記フローチャネルと流体連通する粒子セパレータをさらに備える、実施態様１〜５のいずれか１項に記載のシステム。
（実施態様７）前記セパレータは、粒子サイズ、粒子形状、粒子質量、１つ以上の粒子に関連付けられた信号、またはこれらの任意の組み合わせに基づいて粒子を迂回させるように構成されている、実施態様６に記載のシステム。
（実施態様８）前記セパレータは、前記１つ以上の粒子に関連付けられた信号に基づいて前記フローチャネル内の粒子を迂回させるように構成されている、実施態様７に記載のシステム。
（実施態様９）分離された粒子の１つ以上の画像を収集するように構成されている、実施態様６〜８のいずれか１項に記載のシステム。
（実施態様１０）前記第１または第２の検出モジュールのうちの少なくとも一方は、複数の検出器を備える、実施態様１〜９のいずれか１項に記載のシステム。
（実施態様１１）少なくとも１つの検出モジュールと光通信状態である、光反射器、光スプリッタ、または両方をさらに備える、実施態様１〜１０のいずれか１項に記載のシステム。
（実施態様１２）前記第１または第２の光学系のうちの一方または両方は、前記フローチャネル内の２つ以上の平面で撮像を行うように構成されている、実施態様１〜１１のいずれか１項に記載のシステム。
（実施態様１３）前記第１または第２の光学系のうちの一方または両方は、２つ以上の焦点面で画像を収集するように構成されている、実施態様１２に記載のシステム。
（実施態様１４）前記第１または第２の光学系のうちの少なくとも一方は、２つ以上の平面に照明を合焦させるように構成されている、実施態様１２〜１３のいずれか１項に記載のシステム。
（実施態様１５）前記第１の光学系は、前記第１の照明源からの照明軸が前記第１の検出モジュールから、ある角度でオフセットされるように構成されるか、前記第２の光学系は、前記第２の照明源からの照明軸が前記第２の検出モジュールから、ある角度でオフセットされるか、または両方である、実施態様１〜１２のいずれか１項に記載のシステム。
（実施態様１６）前記第１の照明源、前記第２の照明源、または両方は、レーザー、ランプ、発光ダイオード、またはこれらの任意の組み合わせを備える、実施態様１〜１５のいずれか１項に記載のシステム。
（実施態様１７）前記第１の検出モジュール、前記第２の検出モジュール、または両方は、光電子増倍管、アバランシェフォトダイオード、カメラ、シリコン光電子増倍管、またはこれらの任意の組み合わせを備える、実施態様１〜１６のいずれか１項に記載のシステム。
（実施態様１８）前記第１の光学系によって収集される信号に、（ａ）前記第２の光学系の動作、（ｂ）存在する場合は前記セパレータの動作、または（ａ）および（ｂ）の両方が関係するように構成されている、実施態様１〜１７のいずれか１項に記載のシステム。
（実施態様１９）前記場モジュールは、磁場、電場、音響場、またはこれらの任意の組み合わせの供給源を備える、実施態様１〜１８のいずれか１項に記載のシステム。
（実施態様２０）粒子集団をフローチャネルに流すことと、
第１の光学系を用いて、前記フローチャネルの第１の領域で前記粒子集団の少なくとも一部を照明し、前記照明に関係する第１の信号またはその欠如を収集することと、
第２の光学系を用いて、前記フローチャネルの第２の領域で前記粒子集団の少なくとも一部を照明し、前記照明に関係する第２の信号またはその欠如を収集することと
を含む方法であって、
前記フローチャネルの前記第１の領域における粒子速度は、前記フローチャネルの前記第２の領域における粒子速度とは異なり、
前記第１の信号は、前記第２の信号とは異なる、方法。
（実施態様２１）前記フローチャネルの前記第１の領域の断面積は、前記フローチャネルの前記第２の領域の断面積とは、面積、形状、または両方の点で異なる、実施態様２０に記載の方法。
（実施態様２２）前記フローチャネルの前記第１の領域と前記第２の領域との間の位置において、流体を導入することまたは前記フローチャネルから除去することをさらに含む、実施態様２０〜２１のいずれか１項に記載の方法。
（実施態様２３）前記フローチャネルは主軸を画定する、実施態様２０〜２２のいずれか１項に記載の方法。
（実施態様２４）前記フローチャネルの前記第１の領域で前記粒子集団の少なくとも一部を照明すること、前記フローチャネルの前記第２の領域で前記粒子集団の少なくとも一部を照明すること、または両方は、前記主軸に対して本質的に平行な照明によって行われる、実施態様２３に記載の方法。
（実施態様２５）前記フローチャネルは、少なくとも部分的に非線形の流路を画定する、実施態様２０〜２４のいずれか１項に記載の方法。
（実施態様２６）前記第１の信号、前記第２の信号、または両方に基づいて、前記粒子集団の少なくとも一部を分離することをさらに含む、実施態様２０〜２５のいずれか１項に記載の方法。
（実施態様２７）１つ以上の分離された粒子の画像を収集することをさらに含む、実施態様２０〜２６のいずれか１項に記載の方法。
（実施態様２８）照明反射器、照明スプリッタ、または両方を用いて、前記第１の光学系からの照明を方向付けることをさらに含む、実施態様２０〜２７のいずれか１項に記載の方法。
（実施態様２９）照明反射器、照明スプリッタ、または両方を用いて、前記第２の光学系からの照明を方向付けることをさらに含む、実施態様２０〜２８のいずれか１項に記載の方法。
（実施態様３０）前記フローチャネル内の２つ以上の平面で信号を収集するように前記第１の光学系、前記第２の光学系、または両方を動作させることをさらに含む、実施態様２０〜２９のいずれか１項に記載の方法。
（実施態様３１）前記フローチャネル内の２つ以上の平面に照明を合焦させるように前記第１の光学系、前記第２の光学系、または両方を動作させることをさらに含む、実施態様２０〜３０のいずれか１項に記載の方法。
（実施態様３２）前記第１の光学系の照明源からの照明軸は、前記第１の光学系の検出モジュールから、ある角度でオフセットされるか、前記第２の光学系の照明源からの照明は、前記第２の光学系の検出モジュールから、ある角度でオフセットされるか、あるいは両方である、実施態様２０〜３１のいずれか１項に記載の方法。
（実施態様３３）前記第１の信号、前記第２の信号、または両方は、蛍光信号、明視野画像、暗視野画像、またはこれらの任意の組み合わせである、実施態様２０〜３２のいずれか１項に記載の方法。
（実施態様３４）前記第２の光学系の動作は、前記第１の光学系によって収集された前記第１の信号に関係する、実施態様２０〜３３のいずれか１項に記載の方法。
（実施態様３５）前記第１の信号、前記第２の信号、または両方を、前記粒子集団のうちの少なくとも１つの１つ以上の特性に相関させることをさらに含む、実施態様２０〜３４のいずれか１項に記載の方法。
（実施態様３６）前記粒子集団は、前記第１の領域では第１の流体流量で、かつ前記第２の領域では第２の流体流量で流れ、前記第１の流体流量と前記第２の流体流量との比は、１：１を除く、約４０：１〜約１：４０である、実施態様２０〜３５のいずれか１項に記載の方法。
（実施態様３７）フローチャネルを通じて、前記フローチャネルの第１の領域から前記フローチャネルの第２の領域に向かう方向で、粒子集団を連通させることと、
第１の光学系を用いて、前記フローチャネルの前記第１の領域で前記粒子集団の少なくとも一部を照明し、前記照明に関係する第１の信号を収集することと、
第２の光学系を用いて、前記フローチャネルの前記第２の領域で前記粒子集団の少なくとも一部を照明し、前記照明に関係する第２の信号を収集することと、
前記粒子のサブセットにおいて、前記フローチャネルの前記第１の領域と第２の領域との間で場を増減させることとを含む方法であって、
前記場は、前記フローチャネル内の粒子速度の速度流線Ｓ0から前記フローチャネル内の粒子速度の速度流線Ｓ1へと前記粒子のサブセットを移動させるように増減され、前記Ｓ0における粒子速度は前記Ｓ1における粒子速度とは異なる、方法。
（実施態様３８）前記場は、磁場、電場、音響場、またはこれらの任意の組み合わせを含む、実施態様３７に記載の方法。
（実施態様３９）前記粒子のサブセットを、前記場に対する感度の高いエンティティに結合することをさらに含む、実施態様３７〜３８のいずれか１項に記載の方法。
（実施態様４０）前記エンティティは、磁性粒子を含む、実施態様３９に記載の方法。
（実施態様４１）前記エンティティは、誘電体粒子を含む、実施態様３９に記載の方法。